(57)【要約】【課題】フラット回路体の板厚が薄く変化した場合であってもフラット回路体の電極とコネクタの端子との接触荷重が低下することを防ぐことができるフラット回路体とコネクタの接続構造を提供すること。【解決手段】フラット回路体とコネクタの接続構造１において、スライドガイド部材２０は、端末部１０ａとともにコネクタハウジング６０内に挿入し、かつ、端末部１０ａの電極１１を形成する面に対して逆の面１０ｂをフラット回路体１０の挿入方向に沿って支持するように挿入方向に沿って延びるハウジング内挿入壁３１ｂと、ハウジング内挿入壁３１ｂに対して略平行に並ぶように片持ち片状に挿入方向に突出し、かつ、コネクタハウジング６０の壁面７０ａに弾性的に接触することによって、弾性復元力によってハウジング内挿入壁３１ｂを電極１１が端子８０に接触する方向に移動する接続補助用弾性突出片部４１と、を有する。【選択図】図１
2017004857.tif 000002
【特許請求の範囲】
【請求項１】
フラット回路体の端末部を該端末部に組み付けたスライドガイド部材とともにコネクタのコネクタハウジング内にスライドしながら挿入し、前記スライドガイド部材と前記コネクタハウジングとを固定することによって、前記端末部に形成した電極と前記コネクタハウジング内の端子とを接続した状態で前記フラット回路体を前記コネクタハウジングに固定するフラット回路体とコネクタの接続構造において、
前記スライドガイド部材は、
前記端末部とともに前記コネクタハウジング内に挿入し、かつ、前記端末部の前記電極を形成する面に対して逆の面を前記フラット回路体の挿入方向に沿って支持するように前記挿入方向に沿って延びるハウジング内挿入壁と、
前記ハウジング内挿入壁に対して略平行に並ぶように片持ち片状に前記挿入方向に突出し、かつ、前記コネクタハウジングの壁面に弾性的に接触することによって、弾性復元力によって前記ハウジング内挿入壁を前記電極が前記端子に接触する方向に移動する接続補助用弾性突出片部と、
を有することを特徴とするフラット回路体とコネクタの接続構造。
【請求項２】
前記接続補助用弾性突出片部は、
先端部に前記壁面に向けて突出した係合突起を設け、
前記壁面は、
当該壁面から突出することによって前記フラット回路体が挿入方向にスライド移動する場合に前記係合突起がのりこえて係合するハウジング側係合突起を形成する
ことを特徴とする請求項１に記載のフラット回路体とコネクタの接続構造。
【請求項３】
前記ハウジング側係合突起は、
前記係合突起との係合のための挿入力のピーク位置と、前記フラット回路体の挿入完了位置で前記スライドガイド部材と前記コネクタハウジングとを固定するための挿入力のピーク位置とを前記挿入方向でずらすように設ける
ことを特徴とする請求項２に記載のフラット回路体とコネクタの接続構造。
【請求項４】
前記コネクタハウジングは、
前記接続補助用弾性突出片部が挿入方向に移動しながら嵌め込まれるように外表面に凹状、かつ、前記壁面を凹部底面とする嵌合凹部を形成する
ことを特徴とする請求項１、２または３に記載のフラット回路体とコネクタの接続構造。
【請求項５】
前記コネクタハウジングは、
固定先に固定金具によって固定し、前記固定金具を間にして互いに逆方向に突出し、かつ、該コネクタハウジングの底面の一部を構成する少なくとも一対の回転防止リブを有する
ことを特徴とする１、２、３または４に記載のフラット回路体とコネクタの接続構造。
【発明の詳細な説明】
【技術分野】
【０００１】
本発明は、フラット回路体の端末部に形成した電極とコネクタハウジング内の端子を接続するフラット回路体とコネクタの接続構造に関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）、あるいは、フレキシブルフラットケーブル等のフラット回路体をコネクタに接続するフラット回路体とコネクタの接続構造としては、フラット回路体の端末部をコネクタのコネクタハウジング内にスライドしながら挿入することによってフラット回路体の端末部に形成した電極とコネクタハウジング内の端子とを接続するようにしている。
【０００３】
例えば、特許文献１のフラット回路体とコネクタの接続構造は、コネクタとのロック構造を有するスライダと称されるスライドガイド部材をフラット回路体の端末部に組み付けることによって、フラット回路体をコネクタへの挿入完了位置でコネクタに固定し、フラット回路体とコネクタとの電気的な接続状態を保持するようにしている。
【先行技術文献】
【特許文献】
【０００４】
【特許文献１】特開２０１１−７０８４１号公報
【発明の概要】
【発明が解決しようとする課題】
【０００５】
しかしながら、フラット回路体は接着材等が層構成に含まれる場合、接着材の厚さが環境の影響を受けて変化し、フラット回路体の板厚が薄くなることによって、フラット回路体の電極とコネクタの端子との接触荷重が低下するおそれがあった。
【０００６】
本発明は、上記に鑑みてなされたものであって、フラット回路体の板厚が薄く変化した場合であってもフラット回路体の電極とコネクタの端子との接触荷重が低下することを防ぐことができるフラット回路体とコネクタの接続構造を提供することを目的とする。
【課題を解決するための手段】
【０００７】
上述した課題を解決し、目的を達成するために、本発明の請求項１に係るフラット回路体とコネクタの接続構造は、フラット回路体の端末部を該端末部に組み付けたスライドガイド部材とともにコネクタのコネクタハウジング内にスライドしながら挿入し、前記スライドガイド部材と前記コネクタハウジングとを固定することによって、前記端末部に形成した電極と前記コネクタハウジング内の端子とを接続した状態で前記フラット回路体を前記コネクタハウジングに固定するフラット回路体とコネクタの接続構造において、前記スライドガイド部材は、前記端末部とともに前記コネクタハウジング内に挿入し、かつ、前記端末部の前記電極を形成する面に対して逆の面を前記フラット回路体の挿入方向に沿って支持するように前記挿入方向に沿って延びるハウジング内挿入壁と、前記ハウジング内挿入壁に対して略平行に並ぶように片持ち片状に前記挿入方向に突出し、かつ、前記コネクタハウジングの壁面に弾性的に接触することによって、弾性復元力によって前記ハウジング内挿入壁を前記電極が前記端子に接触する方向に移動する接続補助用弾性突出片部と、を有することを特徴とする。
【０００８】
また、本発明の請求項２に係るフラット回路体とコネクタの接続構造は、上記の発明において、前記接続補助用弾性突出片部が先端部に前記壁面に向けて突出した係合突起を設け、前記壁面は、当該壁面から突出することによって前記フラット回路体が挿入方向にスライド移動する場合に前記係合突起がのりこえて係合するハウジング側係合突起を形成することを特徴とする。
【０００９】
また、本発明の請求項３に係るフラット回路体とコネクタの接続構造は、上記の発明において、前記ハウジング側係合突起が前記係合突起との係合のための挿入力のピーク位置と、前記フラット回路体の挿入完了位置で前記スライドガイド部材と前記コネクタハウジングとを固定するための挿入力のピーク位置とを前記挿入方向でずらすように設けることを特徴とする。
【００１０】
また、本発明の請求項４に係るフラット回路体とコネクタの接続構造は、上記の発明において、前記コネクタハウジングが前記接続補助用弾性突出片部が挿入方向に移動しながら嵌め込まれるように外表面に凹状、かつ、前記壁面を凹部底面とする嵌合凹部を形成することを特徴とする。
【００１１】
また、本発明の請求項５に係るフラット回路体とコネクタの接続構造は、上記の発明において、前記コネクタハウジングは、固定先に固定金具によって固定し、前記固定金具を間にして互いに逆方向に突出し、かつ、該コネクタハウジングの底面の一部を構成する少なくとも一対の回転防止リブを有することを特徴とする。
【発明の効果】
【００１２】
本発明の請求項１に係るフラット回路体とコネクタの接続構造は、接着材の厚さが環境の影響を受けて変化することによって前記フラット回路体の板厚が薄く変化した場合、前記接続補助用弾性突出片部の弾性復元力によって前記ハウジング内挿入壁が前記電極を前記端子に接触する方向に移動するので、フラット回路体の板厚が薄く変化した場合であってもフラット回路体の電極とコネクタの端子との接触荷重が低下することを防ぐことができる。
【００１３】
本発明の請求項２に係るフラット回路体とコネクタの接続構造は、前記接続補助用弾性突出片部の前記係合突起と前記ハウジング側係合突起とが係合することによって挿入方向で前記コネクタハウジングから前記フラット回路体が抜けることを阻止することができるので、抜け止め防止機能を向上することができる。
【００１４】
本発明の請求項３に係るフラット回路体とコネクタの接続構造は、前記係合突起と前記ハウジング側係合突起との係合のための挿入力のピーク位置と、前記フラット回路体の挿入完了位置で前記スライドガイド部材と前記コネクタハウジングとを固定するための挿入力のピーク位置とを挿入方向でずらしているので、前記係合突起と前記ハウジング側係合突起との係合のための挿入力の影響を小さく抑えつつ前記フラット回路体を前記コネクタハウジング内に挿入することができる。
【００１５】
本発明の請求項４に係るフラット回路体とコネクタの接続構造は、前記フラット回路体を前記コネクタハウジング内に挿入完了した場合、前記接続補助用弾性突出片部が前記嵌合凹部に嵌め込まれた状態になることによって、前記接続補助用弾性突出片部が引っ掛かり部分となって前記フラット回路体を前記コネクタハウジングから抜き出す外力を作用し難くすることができる。
【００１６】
本発明の請求項５に係るフラット回路体とコネクタの接続構造は、前記一対の回転防止リブが、前記固定金具を間にして互いに逆方向に突出し、かつ、前記コネクタハウジングの底面の一部を構成することによって、前記固定金具を間にして前記コネクタハウジングの固定先への接地面積を拡大しているため、前記コネクタハウジングが前記固定金具を支点として回転しようとした場合、左右それぞれの回転方向に対して前記一対の回転防止リブのそれぞれの底面が回転を阻止するように固定先に当接するようになっているので、前記端子が固定先に半田付けされている場合であっても、前記コネクタハウジングの回転による前記端子への負荷によって半田が損傷することを防ぐことができ、結果的に、前記端子と固定先との電気的接続の低下を防止することができる。
【図面の簡単な説明】
【００１７】
【図１】図１は、本発明の実施例に係るフラット回路体とコネクタの接続構造の分解斜視図である。
【図２】図２は、コネクタ、および、スライドガイド部材を端末部に組み付けたフラット回路体の斜視図である。
【図３】図３は、コネクタハウジングの斜視図である。
【図４】図４は、（ａ）がコネクタを底面側から見た斜視図であり、（ｂ）が嵌合凹部周辺の拡大斜視図である。
【図５】図５は、コネクタをフラット回路体の挿入口から視た正面図である。
【図６】図６は、（ａ）がコネクタの底面図であり、（ｂ）が嵌合凹部周辺の拡大図である。
【図７】図７は、カバー部材の斜視図である。
【図８】図８は、フラット回路体の端末部に組み付けたスライドガイド部材の断面図である。
【図９】図９は、（ａ）が図６に示したコネクタのＡ−Ａ線断面図であり、（ｂ）が図６に示したコネクタのＢ−Ｂ線断面図である。
【図１０】図１０は、フラット回路体をコネクタハウジング内に挿入完了した状態のフラット回路体とコネクタの接続構造の断面図である。
【図１１】図１１は、フラット回路体をコネクタハウジング内に挿入開始した状態を示したものであり、（ａ）が図６のＡ−Ａ線に対応した断面図であり、（ｂ）が図６のＢ−Ｂ線に対応した断面図である。
【図１２】図１２は、係合突起がハウジング側係合突起をのり越えさらに挿入完了位置に向けてフラット回路体をコネクタハウジング内に挿入している状態を示したものであり、（ａ）が図６のＡ−Ａ線に対応した断面図であり、（ｂ）が図６のＢ−Ｂ線に対応した断面図である。
【図１３】図１３は、フラット回路体を挿入完了位置に移動完了した状態を示したものであり、（ａ）が図６のＡ−Ａ線に対応した断面図であり、（ｂ）が図６のＢ−Ｂ線に対応した断面図である。
【発明を実施するための形態】
【００１８】
以下、図面を参照して、本発明に係るフラット回路体とコネクタの接続構造の好適な実施例を詳細に説明する。
【実施例】
【００１９】
図１は、本発明の実施例に係るフラット回路体とコネクタの接続構造１の分解斜視図である。図２は、コネクタ５０、および、スライドガイド部材２０を端末部１０ａに組み付けたフラット回路体１０の斜視図である。図３は、コネクタハウジング６０の斜視図である。図４は、（ａ）がコネクタ５０を底面側から見た斜視図であり、（ｂ）が嵌合凹部７０周辺の拡大斜視図である。図５は、コネクタ５０をフラット回路体１０の挿入口６１から視た正面図である。図６は、（ａ）がコネクタ５０の底面図であり、（ｂ）が嵌合凹部７０周辺の拡大図である。図７は、スライドカバー４０の斜視図である。図８は、フラット回路体１０の端末部１０ａに組み付けたスライドガイド部材２０の断面図である。図９は、（ａ）が図６に示したコネクタ５０のＡ−Ａ線断面図であり、（ｂ）が図６に示したコネクタ５０のＢ−Ｂ線断面図である。図１０は、フラット回路体１０をコネクタハウジング６０内に挿入完了した状態のフラット回路体とコネクタの接続構造１の断面図である。
なお、図９は、コネクタハウジングの固定先となる回路基板を仮想線で示している。
本発明の実施例に係るフラット回路体とコネクタの接続構造１は、フラット回路体１０の端末部１０ａを端末部１０ａに組み付けたスライドガイド部材２０とともにコネクタ５０のコネクタハウジング６０内にスライドしながら挿入し、スライドガイド部材２０とコネクタハウジング６０とを固定することによって、端末部１０ａに形成した電極１１とコネクタハウジング６０内の端子８０とを接続した状態でフラット回路体１０をコネクタハウジング６０に固定するものである。
【００２０】
まず、フラット回路体１０について説明する。
フラット回路体１０は、例えば、フレキシブルプリント配線板によって実現する。このフラット回路体１０は、絶縁性樹脂シートの上に導電性の金属膜によって回路配線を形成し、この回路配線を保護するように絶縁樹脂性シートの表面を絶縁保護フィルムによって覆った平板状可撓性の回路基板である。
また、フラット回路体１０は、端末部１０ａの片面に回路配線として複数の電極１１を並べて形成し、絶縁保護フィルムの一部を除去することによって各電極１１の接続面を露出している。このようにして外部に露出した各電極１１がコネクタ５０に設けた各端子８０に接続するようになっている。
また、フラット回路体１０は、複数の電極１１が露出される側とは反対側の面に補強板１２を貼り付けている。この補強板１２は、フラット回路体１０の端末部１０ａに両面テープ等の接着材を介して貼り付けることによって端末部１０ａを補強するものである。
さらに、フラット回路体１０は、端末部１０ａにフラット回路体１０を貫通する一対の係合孔１３、１３を形成している。この一対の係合孔１３、１３の各係合孔１３は、スライドガイド部材２０の後述するスライド本体部３０に設けた不図示の一対の係合突起のそれぞれに係合するようになっている。
【００２１】
次に、スライドガイド部材２０について説明する。
スライドガイド部材２０は、合成樹脂等の絶縁性樹脂材からなるスライド本体部３０と、スライド本体部３０との間でフラット回路体１０の端末部１０ａを挟持するようにしてスライド本体部３０に組み付けるスライドカバー４０と、を有する。
【００２２】
スライド本体部３０は、外郭が略直方体形状をなし、図８に示すように、フラット回路体１０の端末部１０ａに組み付ける部分となる回路体組付部３１と、コネクタハウジング６０の後述するロック用突起６６に係合してスライドガイド部材２０をコネクタハウジング６０に固定する部分となる接続ロック部３２と、コネクタ５０にスライドしながら挿入する際の取っ手部分となる操作用取手部３５と、を有する。
【００２３】
回路体組付部３１は、フラット回路体１０の一対の係合孔１３、１３に係合する不図示の一対の係合突起を形成し、フラット回路体１０を一対の係合突起によって位置決めしつつスライドカバーと挟持するように固定する回路体固定部３１ａと、フラット回路体１０の挿入方向（以下、「フラット回路体の挿入方向」を略して「挿入方向」という。）に向けて延在するように突出しフラット回路体１０の端末部１０ａとともにコネクタハウジング６０内に挿入する部分であるハウジング内挿入壁３１ｂと、を有する。
【００２４】
ハウジング内挿入壁３１ｂは、端末部１０とともにコネクタハウジング６０内に挿入し、かつ、端末部１０ａの電極１１を形成する面に対して逆の面１０ｂを挿入方向に沿って支持するように挿入方向に沿って延びる壁である。
【００２５】
接続ロック部３２は、回路体組付部３１の上面に立設した支点部３３と、支点部３３の上部から挿入方向に沿って延びることによってシーソーのように支点部３３を支点として弾性的に可動する可動部３４と、を有する。
【００２６】
可動部３４は、挿入方向前端側にコネクタハウジング６０のロック用突起６６と係合するロックアーム部３４ａを設け、挿入方向後端側にロックアーム部３４ａのロック用突起６６との係合を解除するためのロック解除操作部３４ｂを設けている。
【００２７】
このような接続ロック部３２は、可動部３４が弾性的に中立な状態では、ロックアーム部３４ａがロック用突起６６と係合するように位置し、ロック解除操作部３４ｂを下方に押圧操作することによって、ロックアーム部３４ａがロック用突起６６との係合を解除できるようにその端部を上方に向けて傾けるようになっている。
【００２８】
スライドカバー４０は、スライド本体部３０に組み付けることによってスライド本体部３０との間にフラット回路体１０の端末部１０ａを挟持するものである。このスライドカバー４０は、回路体固定部３１ａのフラット回路体１０を挟持する側の面の外形に対応した長方形状をなし、挿入方向前端面の長手方向両端部、および中央部に３つの接続補助用弾性突出片部４１を突設している。
【００２９】
接続補助用弾性突出片部４１は、スライド本体部３０に組み付けた状態で、ハウジング内挿入壁３１ｂに対して略平行に並ぶように片持ち片状に挿入方向に突出し、かつ、コネクタハウジング６０の壁面７０ａに弾性的に接触することによって、弾性復元力によってハウジング内挿入壁３１ｂを電極１１が端子８０に接触する方向に移動する。
なお、接続補助用弾性突出片部４１が弾性的に接触するコネクタハウジング６０の壁面７０ａは、後述する嵌合凹部７０の凹部底面である。
【００３０】
また、接続補助用弾性突出片部４１は、先端部にコネクタハウジングの壁面に向けて突出した係合突起４１ａを設けている。
【００３１】
次に、コネクタ５０について説明する。
コネクタ５０は、コネクタハウジング６０と、コネクタハウジング６０内に設けた複数の端子８０と、を有し、一対の固定金具９０によって回路基板１００等の固定先にコネクタハウジング６０を固定するようになっている。
【００３２】
コネクタハウジング６０は、合成樹脂等の絶縁性樹脂材からなり、外郭が略直方体形状をなす。
このコネクタハウジング６０は、複数の端子８０を内部に固定し、フラット回路体１０の端末部１０ａを挿入する挿入口６１からフラット回路体１０をコネクタハウジング６０内に挿入完了した位置で、スライドガイド部材２０と上面に設けたロック用突起６６を介して係合することによって各電極１１と各端子８０を接続した状態でフラット回路体１０を固定するようになっている。
【００３３】
また、コネクタハウジング６０は、挿入口６１からハウジング内挿入壁３１ｂとともにコネクタハウジング６０内に端末部１０ａを挿入するための挿入空間６２を内部に形成し、挿入空間６２に挿入した端末部１０ａの下方に複数の電極１１に対応した並びで複数の端子８０を一つずつ固定する端子固定部６３を設けている。
【００３４】
なお、端子８０は、図９に示すように、ピン状の金属部材を曲げ加工等を施すことによって所定形状に形成したものであり、コネクタハウジング６０内の端子固定部６３に固定する固定部８１から電極１１に向けて上り傾斜状に延びることで電極１１に弾性的に接触する部分となる弾性接触片部８２、および、固定部８１を間にして弾性接触片部８２とは逆側にコネクタハウジング６０の固定先となる回路基板１００に実装する部分となる実装部８３を含む。
【００３５】
また、コネクタハウジング６０は、長手方向両側部に金具固定部６４、６４、および、一対の回転防止リブ６５、６５を設けている。
【００３６】
金具固定部６４は、固定金具９０を嵌め込んで固定するものである。このような金具固定部６４に固定した固定金具９０を回路基板１００に固定することによって、コネクタハウジング６０を回路基板１００に固定するようになっている。
【００３７】
一対の回転防止リブ６５、６５は、固定先となる回路基板１００に対してコネクタハウジング６０が固定金具９０を支点として回転することを防止するものである。この一対の回転防止リブ６５、６５は、固定金具９０を間にして互いに逆方向に突出し、かつ、コネクタハウジング６０の底面の一部を構成している。
これにより、一対の回転防止リブ６５、６５は、固定金具９０を間にして固定先となる回路基板１００への接地面積を拡大している。このため、コネクタハウジング６０が固定金具９０を支点として回転しようとした場合、左右それぞれの回転方向に対して一対の回転防止リブ６５、６５のそれぞれの底面が回転を阻止するように回路基板１００に当接するようになっている。
【００３８】
このような一対の回転防止リブ６５、６５は、例えば、コネクタ５０に接続しているフラット回路体１０を上下方向に引っ張ることによって、固定金具９０を支点として回転する力がコネクタハウジング６０に作用した場合であっても、一対の回転防止リブ６５、６５の底面がコネクタハウジング６０の回転を防止し、結果的に、回路基板１００に半田付けした端子８０の半田が損傷することを防止している。
【００３９】
さらに、コネクタハウジング６０は、各接続補助用弾性突出片部４１が挿入方向に移動しながら嵌め込まれる３つの嵌合凹部７０、７０、７０を形成している。このため、フラット回路体１０をコネクタハウジング６０内に挿入完了した場合、各接続補助用弾性突出片部４１が各嵌合凹部７０に嵌め込まれた状態になることによって、各接続補助用弾性突出片部４１が引っ掛かり部分となってフラット回路体１０をコネクタハウジング６０から抜き出す外力を作用し難くなっている。
この嵌合凹部７０は、コネクタハウジング６０の外表面６０ａに凹状、かつ、接続補助用弾性突出片部４１が弾性的に接触する壁面７０ａを凹部底面としている（以下、接続補助用弾性突出片部４１が弾性的に接触する壁面７０ａを凹部底面という。）。
【００４０】
凹部底面７０ａは、凹部底面７０ａから突出することによって、フラット回路体１０が挿入方向にスライド移動する場合に、係合突起４１ａがのり越えて係合するハウジング側係合突起７１を形成する。
このハウジング側係合突起７１は、挿入方向Ｄに向かって漸次上り傾斜するガイド傾斜面７１ａを形成することによって、係合突起４１ａが挿入方向Ｄにスライド移動しながらハウジング側係合突起７１をのり越え易いようになっている。
また、凹部底面７０ａは、係合突起４１ａがハウジング側係合突起７１をのり越えて係合した位置で接続補助用弾性突出片部４１が係合突起４１ａを弾性的に接触した状態を保つように調整されている。
【００４１】
このため、接続補助用弾性突出片部４１の弾性復元力によってハウジング内挿入壁３１ｂを電極１１が端子８０に接触する方向に移動する力（図１０中矢印Ｆ参照）が作用する。
より具体的には、ハウジング内挿入壁３１ｂと、接続補助用弾性突出片部４１とは、接続補助用弾性突出片部４１が弾性的に自然な状態にある場合には所定の間隔が保たれるようになっている。このため、フラット回路体１０の端末部１０ａをスライドガイド部材２０とともにコネクタハウジング６０内にスライドしながら挿入する際、接続補助用弾性突出片部４１が弾性的に撓むことによって、接続補助用弾性突出片部４１と接続補助用弾性突出片部４１との間隔が広がったとしても、接続補助用弾性突出片部４１が弾性復元されることによって所定の間隔に戻るようになっている。
なお、接続補助用弾性突出片部４１が弾性復元することによって接続補助用弾性突出片部４１と接続補助用弾性突出片部４１との間隔が広がった状態から所定の間隔に戻る際、接続補助用弾性突出片部４１は、コネクタハウジング６０の凹部底面７０ａによってハウジング内挿入壁３１ｂとの間隔を縮める方向に撓みを戻す動きが規制される。このため、ハウジング内挿入壁３１ｂが接続補助用弾性突出片部４１による弾性復元力によって接続補助用弾性突出片部４１との間隔を縮める方向（図１０中矢印Ｆ）に引っ張られるように動くようになっている。
【００４２】
なお、フラット回路体１０の挿入完了位置では係合突起４１ａが端子８０に接触しないように調整しているため、接続補助用弾性突出片部４１が端子８０の弾性力に影響を与えないようになっている。
【００４３】
また、ハウジング側係合突起７１は、係合突起４１ａとの係合のための挿入力のピーク位置と、フラット回路体１０の挿入完了位置でスライドガイド部材２０とコネクタハウジング６０とを固定するための挿入力のピーク位置とを挿入方向でずらすように設ける。
より具体的には、スライドガイド部材２０のロックアーム部３４ａがロック用突起６６との係合のため、ロック用突起６６の頂点付近に位置して挿入力が高くなる位置と、接続補助用弾性突出片部４１の係合突起４１ａがハウジング側係合突起７１との係合のため、ハウジング側係合突起７１の頂点付近に位置して挿入力が高くなる位置とを挿入方向でずらすようにハウジング側係合突起７１の挿入方向での位置を調整している。
【００４４】
次に図１１−図１３を用いてフラット回路体１０の端末部１０ａをスライドガイド部材２０とともにコネクタハウジング６０内にスライドしながら挿入することによって端末部１０ａに形成した電極１１とコネクタハウジング６０内の端子８０とを接続する手順と各部の動作について説明する。
図１１は、フラット回路体１０をコネクタハウジング６０内に挿入開始した状態を示したものであり、（ａ）が図６のＡ−Ａ線に対応した断面図であり、（ｂ）が図６のＢ−Ｂ線に対応した断面図である。図１２は、係合突起４１ａがハウジング側係合突起７１をのり越えさらに挿入完了位置に向けてフラット回路体１０をコネクタハウジング６０内に挿入している状態を示したものであり、（ａ）が図６のＡ−Ａ線に対応した断面図であり、（ｂ）が図６のＢ−Ｂ線に対応した断面図である。図１３は、フラット回路体１０を挿入完了位置に移動完了した状態を示したものであり、（ａ）が図６のＡ−Ａ線に対応した断面図であり、（ｂ）が図６のＢ−Ｂ線に対応した断面図である。
【００４５】
まず、作業者は、フラット回路体１０の端末部１０ａをコネクタハウジング６０の挿入口６１からコネクタハウジング６０内にスライド移動しながら挿入開始する（図１１参照）。ここでハウジング内挿入壁３１ｂによって支持したフラット回路体１０の端末部１０ａをコネクタハウジング６０内に挿入開始すると、各接続補助用弾性突出片部４１が嵌合凹部７０に嵌め込み開始する。このため、接続補助用弾性突出片部４１の係合突起４１ａが嵌合凹部７０の凹部底面７０ａに形成したハウジング側係合突起７１のガイド傾斜面７１ａに摺接しながらハウジング側係合突起７１の頂点に向けて移動する。
【００４６】
作業者は、フラット回路体１０をさらに挿入完了位置に向けてスライド移動する（図１２参照）。すると、接続補助用弾性突出片部４１の係合突起４１ａがハウジング側係合突起７１をのり越える。この状態では、フラット回路体１０が挿入完了位置に到達していないため、スライドガイド部材２０のロックアーム部３４ａとコネクタハウジング６０のロック用突起６６とがまだ係合していない。
このように係合突起４１ａとハウジング側係合突起７１との係合のための挿入力のピーク位置と、フラット回路体１０の挿入完了位置でスライドガイド部材２０とコネクタハウジング６０とを固定するための挿入力のピーク位置とを挿入方向でずらしているので、作業者は係合突起４１ａとハウジング側係合突起７１との係合のための挿入力の影響を小さく抑えつつフラット回路体１０をコネクタハウジング６０内に挿入することができる。
【００４７】
その後、作業者は、フラット回路体１０を挿入完了位置まで挿入し、スライドガイド部材のロックアーム部３４ａとコネクタハウジング６０のロック用突起６６とを係合することによってこの作業を完了する（図１３参照）。この状態では、接続補助用弾性突出片部４１の弾性復元力によってハウジング内挿入壁３１ｂを電極１１が端子８０に接触する方向に移動する力が作用している。
このため、接着材の厚さが環境の影響を受けて変化することによってフラット回路体１０の板厚が薄く変化した場合、接続補助用弾性突出片部４１の弾性復元力によってハウジング内挿入壁３１ｂが電極１１を端子８０に接触する方向に移動することによって電極１１と端子８０との接触荷重の低下を防ぐようになっている。
【００４８】
本発明の実施例に係るフラット回路体とコネクタの接続構造１は、接着材の厚さが環境の影響を受けて変化することによってフラット回路体１０の板厚が薄く変化した場合、接続補助用弾性突出片部４１の弾性復元力によってハウジング内挿入壁３１ｂが電極１１を端子８０に接触する方向に移動するので、フラット回路体１０の板厚が薄く変化した場合であってもフラット回路体１０の電極１１とコネクタ５０の端子８０との接触荷重が低下することを防ぐことができる。
【００４９】
また、本発明の実施例に係るフラット回路体とコネクタの接続構造１は、接続補助用弾性突出片部４１の係合突起４１ａとハウジング側係合突起７１とが係合することによって挿入方向Ｄでコネクタハウジング６０からフラット回路体１０が抜けることを阻止することができるので、抜け止め防止機能を向上することができる。
【００５０】
また、本発明の実施例に係るフラット回路体とコネクタの接続構造１は、係合突起４１ａとハウジング側係合突起７１との係合のための挿入力のピーク位置と、フラット回路体１０の挿入完了位置でスライドガイド部材２０とコネクタハウジング６０とを固定するための挿入力のピーク位置とを挿入方向Ｄでずらしているので、係合突起４１ａとハウジング側係合突起７１との係合のための挿入力の影響を小さく抑えつつフラット回路体１０をコネクタハウジング６０内に挿入することができる。
【００５１】
また、本発明の実施例に係るフラット回路体とコネクタの接続構造１は、フラット回路体１０をコネクタハウジング６０内に挿入完了した場合、接続補助用弾性突出片部４１が嵌合凹部７０に嵌め込まれた状態になることによって、接続補助用弾性突出片部４１が引っ掛かり部分となってフラット回路体１０をコネクタハウジング６０から抜き出す外力を作用し難くすることができる。
【００５２】
また、本発明の実施例に係るフラット回路体とコネクタの接続構造１は、一対の回転防止リブ６５、６５が、固定金具９０を間にして互いに逆方向に突出し、かつ、コネクタハウジング６０の底面の一部を構成することによって、固定金具９０を間にしてコネクタハウジング６０の固定先となる回路基板１００への接地面積を拡大しているため、コネクタハウジング６０が固定金具９０を支点として回転しようとした場合、左右それぞれの回転方向に対して一対の回転防止リブ６５、６５のそれぞれの底面が回転を阻止するように固定先に当接するようになっているので、端子８０が固定先に半田付けされている場合であっても、コネクタハウジング６０の回転による端子８０への負荷によって半田が損傷することを防ぐことができ、結果的に、端子８０と固定先との電気的接続の低下を防止することができる。
【００５３】
なお、本発明の実施例に係るフラット回路体とコネクタの接続構造１は、３つの接続補助用弾性突出片部４１、４１、４１をスライドガイド部材２０に設けるものを例示したが、接続補助用弾性突出片部４１の数はこれに限らず、接続補助用弾性突出片部４１は、スライドガイド部材２０に少なくとも１つ設けていればよい。
【００５４】
また、本発明の実施例に係るフラット回路体とコネクタの接続構造１は、コネクタハウジング６０に嵌合凹部７０を形成するものを例示したが、これに限らず、コネクタハウジング６０に嵌合凹部７０を形成しなくても、接続補助用弾性突出片部４１が弾性復元力によってハウジング内挿入壁３１ｂを電極１１が端子８０に接触する方向に移動するように弾性的に接触できる壁面をコネクタハウジング６０に形成していればよい。
【００５５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５６】
１          フラット回路体とコネクタの接続構造
１０        フラット回路体
１０ａ      端末部
１０ｂ      逆の面
１１        電極
１２        補強板
１３        係合孔
２０        スライドガイド部材
３０        スライド本体部
３１        回路体組付部
３１ａ      回路体固定部
３１ｂ      ハウジング内挿入壁
３２        接続ロック部
３３        支点部
３４        可動部
３４ａ      ロックアーム部
３４ｂ      ロック解除操作部
３５        操作用取手部
４０        スライドカバー
４１        接続補助用弾性突出片部
４１ａ      係合突起
５０        コネクタ
６０        コネクタハウジング
６０ａ      外表面
６１        挿入口
６２        挿入空間
６３        端子固定部
６４        金具固定部
６５        回転防止リブ
６６        ロック用突起
７０        嵌合凹部
７０ａ      凹部底面（壁面）
７１        ハウジング側係合突起
７１ａ      ガイド傾斜面
８０        端子
８１        固定部
８２        弾性接触片部
８３        実装部
９０        固定金具
１００        回路基板
【図１】
2017004857.tif 000003
【図２】
2017004857.tif 000004
【図３】
2017004857.tif 000005
【図４】
2017004857.tif 000006
【図５】
2017004857.tif 000007
【図６】
2017004857.tif 000008
【図７】
2017004857.tif 000009
【図８】
2017004857.tif 000010
【図９】
2017004857.tif 000011
【図１０】
2017004857.tif 000012
【図１１】
2017004857.tif 000013
【図１２】
2017004857.tif 000014
【図１３】
2017004857.tif 000015